(57)【要約】【課題】従来と比べて、バッテリーを交換する際の、処理が中断する時間を短縮することが可能な携帯端末装置を提供する。【解決手段】電源制御部（電源制御手段）は、携帯端末装置にバッテリーが装着されている場合は、当該バッテリーから携帯端末装置に電源を供給して、バッテリーが取り外された場合は、サブバッテリーから携帯端末装置に電源を供給する。そして、処理制御部（処理制御手段）は、バッテリーを取り外した際に、携帯端末装置に所定の処理を行わせる。【選択図】図３
2020112986.tif 000002
【特許請求の範囲】
【請求項１】
携帯端末装置に電源を供給する交換可能なバッテリーと、
当該バッテリーを取り外した際に、前記携帯端末装置に電源を供給するサブバッテリーと、
前記バッテリーが装着されている場合は、当該バッテリーから前記携帯端末装置に電源を供給して、前記バッテリーが取り外された場合は、前記サブバッテリーから前記携帯端末装置に電源を供給する電源制御手段と、
前記バッテリーを取り外した際に、前記携帯端末装置に所定の処理を行わせる処理制御手段と、
を備える携帯端末装置。
【請求項２】
前記処理制御手段は、前記バッテリーを取り外した際に、前記携帯端末装置をシャットダウンさせる終了処理と、所定時間に亘って携帯端末装置が記憶している所定のデータを保持するデータ保持処理と、のいずれか一方の処理を行わせる、
請求項１に記載の携帯端末装置。
【請求項３】
前記所定時間を設定する設定手段を、更に備える、
請求項２に記載の携帯端末装置。
【請求項４】
前記設定手段は、前記所定時間を、前記サブバッテリーの残量に応じて設定する、
請求項３に記載の携帯端末装置。
【請求項５】
前記バッテリーを取り外した際、及び前記バッテリーの残量が所定量を下回った際に報知を行う報知手段を、更に備える、
請求項１から請求項４のいずれか１項に記載の携帯端末装置。
【発明の詳細な説明】
【技術分野】
【０００１】
本発明の実施形態は、携帯端末装置に関する。
【背景技術】
【０００２】
従来、飲食店等で使用されているオーダ端末（携帯端末装置）は、充電式のバッテリーから電源を供給されて動作する。そして、バッテリーの残量が減少した場合には、バッテリーを取り外して、満充電状態の別のバッテリーに交換して、使用を継続していた。
【０００３】
このような携帯端末装置には、サブバッテリーを内蔵しているものがあり、バッテリーが取り外された際には、サブバッテリーによって携帯端末装置をシャットダウンさせていた（例えば、特許文献１）。
【０００４】
しかしながら、このような従来の携帯端末装置では、当該携帯端末装置を動作させる基本ソフトであるＯＳ（Operating  System）の種類によっては、シャットダウン処理、及びシャットダウン後の再起動処理に時間を要する場合があった。したがって、例えば、携帯端末装置を、飲食店において客の注文を受け付ける用途に使用した場合、客の注文を即時に受け付けることができないという問題があった。
【発明の概要】
【発明が解決しようとする課題】
【０００５】
本発明が解決しようとする課題は、従来と比べて、バッテリーを交換する際の、処理が中断する時間を短縮することが可能な携帯端末装置を提供することである。
【課題を解決するための手段】
【０００６】
実施形態の携帯端末装置は、バッテリーと、サブバッテリーと、電源制御手段と、処理制御手段とを備える。バッテリーは、交換可能であって、携帯端末装置に電源を供給する。サブバッテリーは、バッテリーを取り外した際に、携帯端末装置に電源を供給する。電源制御手段は、バッテリーが装着されている場合は、当該バッテリーから携帯端末装置に電源を供給して、バッテリーが取り外された場合は、サブバッテリーから携帯端末装置に電源を供給する。処理制御手段は、バッテリーを取り外した際に、携帯端末装置に所定の処理を行わせる。
【図面の簡単な説明】
【０００７】
【図１】図１は、実施形態の携帯端末装置の一例を示す外観図である。
【図２】図２は、実施形態の携帯端末装置のハードウェア構成の一例を示すハードウェアブロック図である。
【図３】図３は、実施形態の携帯端末装置の機能構成の一例を示す機能ブロック図である。
【図４】図４は、バッテリーを取り外した際の処理を選択する処理選択画面の一例を示す図である。
【図５】図５は、バッテリーを取り外した際に、データを保持する時間を設定する時間設定画面の一例を示す図である。
【図６】図６は、報知を行うバッテリーの残量を設定する残量設定画面の一例を示す図である。
【図７】図７は、実施形態の携帯端末装置が行う一連の処理の流れの一例を示すフローチャートである。
【発明を実施するための形態】
【０００８】
以下、添付図面を参照して、本発明の実施形態について説明する。
【０００９】
（携帯端末装置の概略構成の説明）
図１は、実施形態に係る携帯端末装置１の一例を示す外観図である。特に、図１（ａ）は、携帯端末装置１を表面側から見た外観図である。図１（ｂ）は、携帯端末装置１を裏面側から見た外観図である。携帯端末装置１は、例えば飲食店等において、客の注文を受け付けるオーダ端末として用いられる。なお、携帯端末装置１は、オーダ端末に限定されるものではなく、タブレット端末であってもよいし、スマートフォンであってもよい。
【００１０】
携帯端末装置１は、図１（ａ）に示すように、液晶ディスプレイ２０が設けられた第１の筐体３ａと、この第１の筐体３ａに回動支持部３ｃによって接続された、矢印Ａの方向に開閉自在な第２の筐体３ｂと、から構成されている。液晶ディスプレイ２０は、表示部として機能し、例えば、注文担当店員が注文情報を入力するための入力画面が表示される。なお、液晶ディスプレイ２０の表面には、タッチパネル２２が積層されている。携帯端末装置１は、入力画面に表示された操作ボタンがタッチ操作されたことを、タッチパネル２２が検出することによって、注文情報の入力を受け付ける。また、液晶ディスプレイ２０の縁には、インジケータ５が備えられている。インジケータ５は、例えばＬＥＤで構成されて、携帯端末装置１の状態に関する報知（例えばバッテリー残量等）を行う。
【００１１】
また、第２の筐体３ｂには、キーボード２４が設けられている。キーボード２４には、詳細は図示しないが、メニュー品目が割り当てられたメニューキー２４ａが割り当てられており、携帯端末装置１は、タッチパネル２２と共に、このキーボード２４の操作によっても注文情報の入力を受け付ける。
【００１２】
第１の筐体３ａの裏面側には、図１（ｂ）に示すように、携帯端末装置１に電源を供給する、脱着可能なバッテリー４０が装着されている。バッテリー４０は充電式、かつ交換可能であり、充電を行う際には、バッテリーロックスイッチ４をスライドさせた状態で、バッテリー４０を携帯端末装置１から取り外す。また、携帯端末装置１の内部には、サブバッテリー４２が装着されている。サブバッテリー４２は、携帯端末装置１が動作中にバッテリー４０が取り外された場合に、携帯端末装置１に、所定時間に亘って電源を供給する。
【００１３】
（携帯端末装置のハードウェア構成の説明）
図２は、実施形態の携帯端末装置１のハードウェア構成の一例を示すハードウェアブロック図である。携帯端末装置１は、制御部１０と、記憶部１２と、入出力コントローラ１４と、無線通信コントローラ３０と、バッテリー４０と、サブバッテリー４２とを備える。
【００１４】
制御部１０は、ＣＰＵ（Central  Processing  Unit）１０ａと、ＲＯＭ（Read  Only  Memory）１０ｂと、ＲＡＭ（Random  Access  Memory）１０ｃと、を備える。ＣＰＵ１０ａは、バスライン１６を介して、ＲＯＭ１０ｂと、ＲＡＭ１０ｃと接続する。ＣＰＵ１０ａは、ＲＯＭ１０ｂや記憶部１２に記憶された各種プログラムを、ＲＡＭ１０ｃに展開する。ＣＰＵ１０ａは、ＲＡＭ１０ｃに展開された各種プログラムに従って動作することで携帯端末装置１を制御する。すなわち、制御部１０は、一般的なコンピュータの構成を有する。
【００１５】
制御部１０は、更に、バスライン１６を介して、記憶部１２と、入出力コントローラ１４と接続する。
【００１６】
記憶部１２は、電源を切っても記憶情報が保持される、フラッシュメモリ等の不揮発性メモリ、又はＨＤＤ（Hard  Disk  Drive）等である。記憶部１２は、制御プログラムＰ１を含むプログラム等を記憶する。制御プログラムＰ１は、携帯端末装置１が備える機能を発揮させるためのプログラムである。
【００１７】
なお、制御プログラムＰ１は、ＲＯＭ１０ｂに予め組み込まれて提供されてもよい。また、制御プログラムＰ１は、制御部１０にインストール可能な形式又は実行可能な形式のファイルで、ＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録して提供するように構成してもよい。さらに、制御プログラムＰ１を、インターネット等のネットワークに接続されたコンピュータ上に格納し、ネットワーク経由でダウンロードさせることにより提供するように構成してもよい。また、制御プログラムＰ１を、インターネット等のネットワーク経由で提供または配布するように構成してもよい。
【００１８】
また、記憶部１２は、ＰＬＵファイルＦ１と、注文データＦ２とを記憶する。ＰＬＵファイルＦ１は、店舗で取り扱っているメニューの商品情報（商品コード、商品名、価格等）を記憶したファイルである。なお、店舗で取り扱うメニューは日々変化するため、ＰＬＵファイルＦ１は、非図示の店舗サーバと、無線通信コントローラ３０を介して接続されて、店舗サーバから随時更新される。
【００１９】
入出力コントローラ１４は、タッチパネル２２と、キーボード２４と、液晶ディスプレイ２０と、インジケータ５と接続する。入出力コントローラ１４は、制御部１０からの指令に基づいて、接続された各種ハードウェアを制御する。
【００２０】
タッチパネル２２は、液晶ディスプレイ２０に表示された各種ボタンに対する操作者の操作情報を検出して、操作情報に応じた情報を、制御部１０に送信する。
【００２１】
キーボード２４は、操作者の操作情報を検出して、操作情報に応じた情報を、制御部１０に送信する。
【００２２】
液晶ディスプレイ２０は、携帯端末装置１を操作するための各種ボタンや、携帯端末装置１が読み取った商品情報等を表示する。
【００２３】
インジケータ５は、例えば、バッテリー４０の残量低下時、バッテリー４０の取り外し時等に報知を行う。インジケータ５は、例えばＬＥＤで構成されて、オレンジ色や赤色等の目立つ色彩で発光するのが望ましい。なお、報知の形態は問わないが、例えば、インジケータ５を点滅、又は点灯させることによって報知を行う。また、インジケータ５は、バッテリー４０の残量に応じて、報知の形態を変化させてもよい。例えば、バッテリー４０の残量が少ないほど、インジケータ５の点滅間隔を短くする等してもよい。
【００２４】
また、制御部１０は、バスライン１６を介して、無線通信コントローラ３０と接続する。無線通信コントローラ３０は、携帯端末装置１を、非図示の店舗サーバやキッチンプリンタ等と無線接続する。無線通信は、例えば、Ｗｉ−Ｆｉ（登録商標）等である。
【００２５】
さらに、バスライン１６には、バッテリー４０と、サブバッテリー４２とが接続される。バッテリー４０は、携帯端末装置１に動作電源を供給する、例えば、リチウムイオン電池等の充電式バッテリーである。サブバッテリー４２は、バッテリー４０が取り外された際に、携帯端末装置１に電源を供給する補助電池である。なお、サブバッテリー４２は、携帯端末装置１にバッテリー４０が接続されている場合に、当該バッテリー４０から電源の供給を受けて充電可能であることが望ましい。
【００２６】
（携帯端末装置の機能構成の説明）
図３は、実施形態の携帯端末装置１の機能構成の一例を示す機能ブロック図である。携帯端末装置１の制御部１０は、制御プログラムＰ１をＲＡＭ１０ｃに展開して動作させることによって、図３に示す電源制御部１０１と、処理制御部１０２と、時間設定部１０３と、報知処理部１０４とを、機能部として実現する。
【００２７】
電源制御部１０１は、バッテリー４０が装着されている場合は、当該バッテリー４０から携帯端末装置１に電源を供給して、バッテリー４０が取り外された場合は、サブバッテリー４２から携帯端末装置１に電源を供給する。なお、電源制御部１０１は、電源制御手段の一例である。
【００２８】
処理制御部１０２は、バッテリー４０を取り外した場合に、携帯端末装置１に所定の処理を行わせる。なお、処理制御部１０２は、処理制御手段の一例である。
【００２９】
時間設定部１０３は、サブバッテリー４２から携帯端末装置１に電源を供給する時間を設定する。なお、時間設定部１０３は、設定手段の一例である。
【００３０】
報知処理部１０４は、バッテリー４０を取り外した際、及びバッテリー４０の残量が所定量を下回った際に報知を行う。なお、報知処理部１０４は、報知手段の一例である。
【００３１】
（携帯端末装置の動作画面の説明）
次に、携帯端末装置１の各種動作画面の例を説明する。図４は、バッテリー４０を取り外した際の処理を選択する処理選択画面５０の一例を示す図である。図５は、バッテリー４０を取り外した際に、携帯端末装置１が取得した注文情報等のデータを保持する時間を設定する時間設定画面５２の一例を示す図である。図６は、報知を行うバッテリー４０の残量を設定する残量設定画面５４の一例を示す図である。
【００３２】
処理選択画面５０は、報知処理部１０４が、携帯端末装置１に装着されたバッテリー４０の残量が所定量を下回ったことを条件として、液晶ディスプレイ２０に表示させる画面である。処理選択画面５０は、選択肢として、シャットダウンボタン５０ａと、データ保持ボタン５０ｂとを備える。
【００３３】
携帯端末装置１を使用している店員は、処理選択画面５０が表示された際に、その都度、バッテリー４０が取り外された際に行う処理を選択する。これは、携帯端末装置１が使われている状況によって、バッテリー４０を取り外した際に行う処理が変わってくるためである。例えば、業務の終了時間に近い場合（ラストオーダの注文が終了した場合）等には、バッテリー４０を取り外した際にはシャットダウン処理を行うのが望ましい。一方、客からの注文を受けている最中や、業務の終了時間まで遠い場合には、バッテリー４０を取り外した際に処理を中断させてデータを保持し、バッテリー４０を交換した後で、中断した処理を再開させるのが望ましい。
【００３４】
時間設定画面５２は、処理選択画面５０において、データ保持ボタン５０ｂが選択された場合に、時間設定部１０３が液晶ディスプレイ２０に表示させる画面である。時間設定画面５２は、具体的なデータ保持時間を示す複数のボタンを備える。すなわち、図５の例では、２分保持ボタン５２ａと、５分保持ボタン５２ｂと、１０分保持ボタン５２ｃと、１５分保持ボタン５２ｄとを備える。
【００３５】
なお、サブバッテリー４２の残量が少ない場合には、長時間に亘ってデータを保持することができない可能性がある。したがって、時間設定画面５２に表示されるデータ保持時間を指定するボタンは、サブバッテリー４２の残量に応じて、一部のボタンを無効（ボタンにハッチングを付して、当該ボタンを選択できなくする）にしてもよい。例えば、サブバッテリー４２の残量が５０％である場合には、１０分保持ボタン５２ｃと１５分保持ボタン５２ｄとを無効にしてもよい。
【００３６】
残量設定画面５４は、液晶ディスプレイ２０に、前記した処理選択画面５０を表示させる際の判断基準となる、バッテリー４０の残量を設定する画面である。残量設定画面５４は、例えば、携帯端末装置１の設定メニュー（非図示）の中から、「報知を行うバッテリー残量設定」を選択した際に、液晶ディスプレイ２０に表示される。残量設定画面５４は、例えば、残量２０％以下ボタン５４ａと、残量１０％以下ボタン５４ｂと、残量５％以下ボタン５４ｃとを備える。
【００３７】
（携帯端末装置が行う一連の処理の流れの説明）
図７は、実施形態の携帯端末装置１が行う一連の処理の流れの一例を示すフローチャートである。
【００３８】
電源制御部１０１は、バッテリー４０の残量が所定値以上であるかを判定する（ステップＳ１０）。バッテリー４０の残量が所定値以上であると判定される（ステップＳ１０：Ｙｅｓ）と、ステップＳ１２に進む。一方、バッテリー４０の残量が所定値以上であると判定されない（ステップＳ１０：Ｎｏ）と、ステップＳ１６に進む。
【００３９】
ステップＳ１０において、バッテリー４０の残量が所定値以上であると判定されると、携帯端末装置１は通常運用される（ステップＳ１２）。
【００４０】
処理制御部１０２は、携帯端末装置１が、注文の受付等の処理を完了したかを判定する（ステップＳ１４）。処理が完了したと判定される（ステップＳ１４：Ｙｅｓ）と、携帯端末装置１は、図７の処理を終了する。一方、処理が完了したと判定されない（ステップＳ１４：Ｎｏ）と、ステップＳ１０に戻る。
【００４１】
ステップＳ１０において、バッテリー４０の残量が所定値以上であると判定されないと、ステップＳ１６において、報知処理部１０４は、バッテリー４０の残量の報知処理を行う。
【００４２】
続いて、処理制御部１０２は、液晶ディスプレイ２０に処理選択画面５０を表示させて、携帯端末装置１の使用者に、バッテリー４０を取り外した後に行う処理を選択させる（ステップＳ１８）。
【００４３】
その後、携帯端末装置１は通常運用される（ステップＳ２０）。
【００４４】
電源制御部１０１は、バッテリー４０が取り外されたかを判定する（ステップＳ２２）。バッテリー４０が取り外されたと判定される（ステップＳ２２：Ｙｅｓ）と、ステップＳ２４に進む。一方、バッテリー４０が取り外されたと判定されない（ステップＳ２２：Ｎｏ）と、ステップＳ２０に戻る。
【００４５】
ステップＳ２２において、バッテリー４０が取り外されたと判定されると、ステップＳ２４において、電源制御部１０１は、サブバッテリー４２の電源を携帯端末装置１に供給する。
【００４６】
続いて、報知処理部１０４は、インジケータ５を点滅させることによって、サブバッテリー４２が携帯端末装置１を駆動していることを報知する（ステップＳ２６）。
【００４７】
処理制御部１０２は、サブバッテリー４２が電源を供給している際に、携帯端末装置１が行う処理がシャットダウンであるかを判定する（ステップＳ２８）。携帯端末装置１が行う処理がシャットダウンであると判定される（ステップＳ２８：Ｙｅｓ）と、ステップＳ３０に進む。一方、携帯端末装置１が行う処理がシャットダウンであると判定されない（ステップＳ２８：Ｎｏ）と、ステップＳ３２に進む。
【００４８】
ステップＳ２８において、携帯端末装置１が行う処理がシャットダウンであると判定されると、処理制御部１０２は、シャットダウン処理を行う（ステップＳ３０）。その後、携帯端末装置１は、図７の処理を終了する。
【００４９】
ステップＳ２８において、携帯端末装置１が行う処理がシャットダウンであると判定されないと、処理制御部１０２は、データ保持処理を行う（ステップＳ３２）。
【００５０】
電源制御部１０１は、バッテリー４０が接続されたかを判定する（ステップＳ３４）。バッテリー４０が接続されたと判定される（ステップＳ３４：Ｙｅｓ）と、ステップＳ３６に進む。一方、バッテリー４０が接続されたと判定されない（ステップＳ３４：Ｎｏ）と、ステップＳ３２に戻る。
【００５１】
ステップＳ３４において、バッテリー４０が接続されたと判定されると、ステップＳ３６において、報知処理部１０４は、インジケータ５を消灯させる。
【００５２】
続いて、電源制御部１０１は、バッテリー４０の電源を携帯端末装置１に供給する（ステップＳ３８）。その後、ステップＳ１０に戻る。
【００５３】
以上説明したように、実施形態の携帯端末装置１によると、電源制御部１０１（電源制御手段）は、携帯端末装置１にバッテリー４０が装着されている場合は、当該バッテリー４０から携帯端末装置１に電源を供給して、バッテリー４０が取り外された場合は、サブバッテリー４２から携帯端末装置１に電源を供給する。そして、処理制御部１０２（処理制御手段）は、バッテリー４０を取り外した際に、携帯端末装置１に所定の処理を行わせる。したがって、バッテリー４０を交換する間に、携帯端末装置１にデータを保持しておくことができるため、バッテリー４０の交換時に処理が中断する時間を短縮することができる。
【００５４】
また、実施形態の携帯端末装置１によると、処理制御部１０２（処理制御手段）は、バッテリー４０を取り外した際に、携帯端末装置１をシャットダウンさせる終了処理と、所定時間に亘って携帯端末装置１が記憶している所定のデータを保持するデータ保持処理と、のいずれか一方の処理を行わせる。したがって、バッテリー４０を交換した後も、携帯端末装置１による処理を継続したい場合には、バッテリー４０の交換中にデータ保持処理を実行させることによって、従来と比べて、バッテリー４０を交換する際の、処理が中断する時間を短縮することができる。
【００５５】
また、実施形態の携帯端末装置１によると、時間設定部１０３（設定手段）は、携帯端末装置１が記憶している所定のデータを保持する時間を設定する。したがって、バッテリー４０の交換に要する時間に応じて、データを保持する時間を設定することができる。
【００５６】
また、実施形態の携帯端末装置１によると、時間設定部１０３（設定手段）は、所定時間を、サブバッテリー４２の残量に応じて設定する。したがって、サブバッテリー４２の残量に応じて、データの保持が可能な保持時間を設定することができる。
【００５７】
また、実施形態の携帯端末装置１によると、報知処理部１０４（報知手段）は、バッテリー４０を取り外した際、及びバッテリー４０の残量が所定量を下回った際に報知を行う。したがって、携帯端末装置１の使用者に対して、確実に注意を喚起することができる。
【００５８】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１    携帯端末装置
４０    バッテリー
４２    サブバッテリー
１０１    電源制御部（電源制御手段）
１０２    処理制御部（処理制御手段）
１０３    時間設定部（設定手段）
１０４    報知処理部（報知手段）
【先行技術文献】
【特許文献】
【００６０】
【特許文献１】特開２００３−１０１６２４号公報
【図１】
2020112986.tif 000003
【図２】
2020112986.tif 000004
【図３】
2020112986.tif 000005
【図４】
2020112986.tif 000006
【図５】
2020112986.tif 000007
【図６】
2020112986.tif 000008
【図７】
2020112986.tif 000009